(57)【要約】【課題】  完全なOCR機能を必要とすることもなく、交付文書の原本性を確認することを可能とする。【解決手段】  印刷出力する交付文書の原本性の確認機能を有する複合機能印刷システムであり、複合機能印刷システムの画像スキャナー部に搭載されたＯＣＲ機能を利用して文字コードベースでの原本性確認を行い、特に原本性確認の為のオリジナルデータの登録を行う際には、交付文書データから直接文字コードを得るのではなく、印刷出力の為の画像展開後の画像電子データを、画像スキャナー部のＯＣＲ機能に掛けることによって、ＯＣＲ機能の性能特質に従って認識された文字コードを得る。【選択図】  図１
2006166329.tif 000002
【特許請求の範囲】
【請求項１】
少なくとも画像スキャナー部とプリンター部を有する複合機能印刷システムであり、
特に画像スキャナー部が読み込んだ画像データから光学的に文字を認識する機能（以下OCR機能）を１種類以上搭載する複合機能印刷システムであり、
特にパーソナルコンピュータ（以下PC）やワークステーション（以下WS）といったホスト機器から与えられる画像データ、若しくは同ホスト機器から与えられるページ記述言語（以下PDL）等のデータを解釈して画像に展開した画像データ、を印刷出力するプリンター部を有する複合機能印刷システムであり、
また特筆すべき一つ目の特徴として、印刷出力する前の画像データから、上述のOCR機能を用いることで、当該OCR機能の特徴に従って光学的に認識された文字コード情報を抽出し、その文字コード情報を、或いは文字コード情報から算出されるハッシュ値等の文字コード固有情報を、システム内部もしくは外部の二次記憶装置に保管する機能を有する複合機能印刷システムであり、
更に特筆すべき二つ目の特徴として、画像スキャナー部から読み込んだ画像データから、上述のOCR機能を用いることで、当該OCR機能の特徴に従って光学的に認識された文字コード情報を抽出し、その文字コード情報を、或いは文字コード情報から算出されるハッシュ値等の文字コード固有情報を、システム内部もしくは外部の二次記憶装置に既に保管されてある、文字コード情報か、或いは文字コード情報から算出されたハッシュ値等の文字コード固有情報と、検索・比較検討することで、
画像スキャナー部から読み込んだ原稿上の文字コード情報について、過去に当該複合機能印刷システムから印刷出力したものと同等であることを判別する機能を有する複合機能印刷システム。
【請求項２】
請求項１に記載の複合機能印刷システムにおいて、
搭載するOCR機能/性能が複数である場合、それらOCR機能/性能の全部若しくは一部の特徴に従って光学的に認識された１セット以上の文字コード情報を抽出し、その１セット以上の文字コード情報を、或いは１セット以上の文字コード情報から算出されるハッシュ値等の一つ以上の文字コード固有情報を、システム内部もしくは外部の二次記憶装置に保管する機能を有する複合機能印刷システムであり、
更に画像スキャナー部から読み込んだ画像データから、上述した複数のOCR機能/性能の全部若しくは一部を用いることで、当該OCR機能/性能の特徴に従って光学的に認識された１セット以上の文字コード情報を抽出し、その１セット以上の文字コード情報を、或いは１セット以上の文字コード情報から算出されるハッシュ値等の一つ以上の文字コード固有情報を、システム内部もしくは外部の二次記憶装置に既に保管されてある、１セット以上の文字コード情報の何れか、或いは１セット以上の文字コード情報から算出されたハッシュ値等の一つ以上の文字コード固有情報の、何れかと検索・比較検討することで得られる、一つ以上の検討結果の論理演算の解を用いて、
画像スキャナー部から読み込んだ原稿上の文字コード情報について、過去に当該複合機能印刷システムから印刷出力したものと同等であることを判別する機能を有する複合機能印刷システム。
【請求項３】
請求項１と請求項２に記載の複合機能印刷システムにおいて、
搭載するOCR機能が、例えば画像スキャナー部とプリンター部の解像度が異なる場合等に、当該OCR機能の特徴に従って光学的に認識された文字コード情報が、印刷出力する前の画像データのプリンター部から画像スキャナー部への受け渡し方によって、異なる複数のパターンで抽出され得る場合、その複数の文字コード情報を、或いは複数の文字コード情報から算出されるハッシュ値等の複数の文字コード固有情報を、システム内部もしくは外部の二次記憶装置に保管する機能を有する複合機能印刷システムであり、
更に画像スキャナー部から読み込んだ画像データから、上述のOCR機能を用いることで、当該OCR機能の特徴に従って光学的に認識された文字コード情報を抽出し、その文字コード情報を、或いは文字コード情報から算出されるハッシュ値等の文字コード固有情報を、システム内部もしくは外部の二次記憶装置に既に保管されてある、複数の文字コード情報の何れか、或いは複数の文字コード情報から算出されたハッシュ値等の複数の文字コード固有情報の何れか、と検索・比較検討することで得られる複数の検討結果の論理演算の解を用いて、
画像スキャナー部から読み込んだ原稿上の文字コード情報について、過去に当該複合機能印刷システムから印刷出力したものと同等であることを判別する機能を有する複合機能印刷システム。
【請求項４】
請求項１と請求項２と請求項３に記載の複合機能印刷システムにおいて、
複数台の複合機能印刷システムを、ネットワーク等の通信システムによって接続することで情報交換を可能とし、
その内の何れかの複合機能印刷システムのプリンター部において印刷出力すべき原稿を、別の複合機能印刷システム若しくは単機能印刷システムで印刷出力し、
元の複合機能印刷システムにおいては、印刷出力すべきであった原稿を画像展開し、その画像を画像スキャナー部に受け渡し、更に搭載するOCR機能を用いることで、当該OCR機能の特徴に従って光学的に認識された文字コード情報を抽出し、その文字コード情報を或いは文字コード情報から算出されるハッシュ値等の文字コード固有情報を、システム内部もしくは外部の二次記憶装置に保管する複合機能並びに単機能印刷システム群。
【請求項５】
請求項１と請求項２と請求項３と請求項４に記載の複合機能印刷システム、或いは複合機能並びに単機能印刷システム群において、
複数台の複合機能印刷システムを、ネットワーク等の通信システムによって接続することで情報交換を可能とし、
その内の何れかの複合機能印刷システムのプリンター部若しくは単機能印刷システムによって印刷出力された原稿を、別の複合機能印刷システムの画像スキャナー部によって読み取り、更に搭載するOCR機能を用いることで、当該OCR機能の特徴に従って光学的に認識された文字コード情報を抽出し、その文字コード情報を、或いは文字コード情報から算出されるハッシュ値等の文字コード固有情報を、ネットワーク等の通信システムを介して、何れかの当該原稿を印刷出力した複合機能印刷システムに問い合わせることで、複合機能印刷システム内部もしくは外部の二次記憶装置に既に保管されてある、文字コード情報か、或いは文字コード情報から算出されたハッシュ値等の文字コード固有情報と検索・比較検討することで、
当該原稿上の文字コード情報について、過去に何れかの複合機能印刷システムから印刷出力したものと同等であることを判別する機能を有する複合機能並びに単機能印刷システム群。
【請求項６】
請求項５に記載の複合機能並びに単機能印刷システム群において、
ネットワーク等の通信システムによって相互に接続された、何れかの複合機能印刷システムのプリンター部によって印刷出力された原稿上に、若しくは原稿とは別に、何れの複合機能印刷システムのプリンター部によって印刷出力されたかを示す複合機能印刷システム固有情報を有し、
当該原稿から得られる文字コード情報を、或いは文字コード情報から算出されるハッシュ値等の文字コード固有情報を、ネットワーク等の通信システムを介して、何れかの複合機能印刷システムに問い合わせる際に、
複合機能印刷システム固有情報を用いて、何れの複合機能印刷システムに対して問い合わせるかを指定し、
指定された複合機能印刷システム内部もしくは外部の二次記憶装置に既に保管されてある、文字コード情報か、或いは文字コード情報から算出されたハッシュ値等の文字コード固有情報と検索・比較検討することで、
当該原稿上の文字コード情報について、過去に、指定された複合機能印刷システムから印刷出力したものと同等であることを判別する機能を有する複合機能印刷システム群。
【請求項７】
請求項１と請求項２と請求項３と請求項４と請求項５と請求項６に記載の複合機能印刷システム及び複合機能並びに単機能印刷システム群において、
印刷に用いられる用紙が白紙でない場合や無地でない場合、
予め当該用紙を画像スキャナー部で読み込み、印刷出力する前の画像データに合成した上で、OCR機能の特徴に従って光学的に認識された文字コード情報を抽出し、その文字コード情報を、或いは文字コード情報から算出されるハッシュ値等の文字コード固有情報を、システム内部もしくは外部の二次記憶装置に保管する機能を有する複合機能印刷システム及び複合機能並びに単機能印刷システム群。
【発明の詳細な説明】
【技術分野】
【０００１】
本発明は、複合機能印刷システムが印刷出力する印刷物について、原本性を保証する、若しくは原本性の保証を補完する技術に関する。
【背景技術】
【０００２】
従来、原本性を必要とする印刷物は、地紋等が紙面上に予め印刷された特殊な印刷用紙を用いることで、その特殊な印刷用紙の入手の困難さをもって原本性を保証していた。
【０００３】
或いは、認証局たるべき機構や機構の長の印章を押印することで、その印章の入手の困難さをもって原本性を保証していた。
【０００４】
或いは上記二つの方法を合わせて原本性を保証していた。
【０００５】
また、画像スキャナーによって原稿を読み取った電子画像情報をもって、認証局たるべき機構が保管する電子画像情報と検索・比較することで原本性を確認する場合、取得した電子画像電子情報そのものや、或いはその電子画像情報そのものから算出されるハッシュ値等の特徴情報をもって原本性を保証していた。
【０００６】
或いはまた、特許文献１によれば、印刷出力さる交付文書から直接、文字列情報とその文字列のレイアウト情報を取得し、該文字列情報から所定の演算で算出される認証値と該レイアウト情報とを合わせた認証情報を、交付文書上に付加して印刷出力し、認証時には、光学的に読み取った交付文書から該認証情報を取得し、認証情報からレイアウト情報を求め、該レイアウト情報に従って交付文書から文字列情報をOCR機能により取得し、所定の演算で算出される認証値を、交付文書上に印刷された認証情報中の元の認証値と比較して原本性を確認するか、或いは元の認証値を、交付文書の印刷出力時に、認証局たる機構に保管し、認証時に問い合せることで原本性を確認している。
【特許文献１】特開2004-13287号公報
【発明の開示】
【発明が解決しようとする課題】
【０００７】
しかしながら、各種交付文書の電子化が進むにあたり、その交付文書が交付者の管理外で印刷出力されることに利便性が求められる状況が多く現れ始め、地紋等が紙面上に予め印刷された特殊な印刷用紙の入手の困難さをもって原本性を保証することや、認証局たるべき機構や機構の長の印章の入手の困難さをもって原本性を保証することが、上記の利便性を阻害することになる為、新たなる原本性保証の技術が必要とされ始めた。
【０００８】
また画像スキャナーによって交付文書原稿を読み取った電子画像情報そのものをもって、認証局たるべき機構が保管する電子画像情報そのものと検索・比較することで原本性を確認する場合、画像スキャナーで読み取る電子画像情報は、原稿のスキャナー台への置き方のわずかな違いや、原稿紙面上のかすかな汚れ等で、同一の原稿であっても異なる電子画像情報として読み取られてしまう為、安易に電子画像情報そのもの同士を突き合わせて比較するだけでは、同一であることの確認が困難であり、実用性に乏しかった。
【０００９】
また特許文献１による原本性確認の技術では、元の認証値を求める為の文字列情報を、交付文書そのものに求めている為、認証時にOCR機能が認識する文字列情報との差異が考慮されておらず、完全なOCR機能が出現するまで、その実用性が疑問視される。
【００１０】
更に認証情報を交付文書上に付加して印刷出力させるので、交付文書自体をオリジナル状態で印刷出力しないという問題点も残されている。
【課題を解決するための手段】
【００１１】
かかる問題を解決する為、本発明は、
交付文書の印刷時には、交付文書を印刷出力する直前の印刷画像データから、OCR機能を用いることで、当該OCR機能の特徴に従って光学的に認識された文字コード情報を抽出し、その文字コード情報を、或いは文字コード情報から算出されるハッシュ値等の文字コード固有情報を、二次記憶装置に保管し、
交付文書の認証時には、印刷出力されてある交付文書を画像スキャナー部で画像データとして読み込み、読み込み画像データから、OCR機能を用いることで、当該OCR機能の特徴に従って光学的に認識された文字コード情報を抽出した文字コード情報を、或いは文字コード情報から算出されるハッシュ値等の文字コード固有情報を、該二次記憶装置に保管されてある文字コード情報と、若しくは文字コード固有情報と、検索・比較検討することによって、原本性を保証する技術、若しくは原本性の保証を補完する技術を提供するものである。
【発明の効果】
【００１２】
本発明記載の技術に拠れば、特殊な印刷用紙の入手の困難さや、認証局たるべき機構や機構の長の印章の入手の困難さを利用することなく、また電子画像情報そのもの同士を突き合わせて比較する訳ではないので、交付文書原稿の紙面状態や、スキャナー台への交付文書原稿の置き方について、過剰に慎重になる必要もなく、また交付文書から直接抽出された文字列情報と、完全に合致する文字列情報を、交付文書画像データから認識できる、完全なOCR機能を必要とすることもなく、交付文書の原本性を確認することが可能となる。
【発明を実施するための最良の形態】
【００１３】
図１が本発明を実施する為に最良の形態の例である。
【００１４】
101.は交付文書のDB等にアクセスするPCやWS等であり、本発明が提案するところの複合機能印刷システムに、印刷ジョブを送信するホスト機器である。
【００１５】
102.は交付文書が印字制御コードデータに変換された場合の模式図である。
【００１６】
103.は本発明が提案するところの複合機能印刷システム（A）で1台のデバイスとして存在する。
【００１７】
104.は本発明が提案するところの複合機能印刷システム（A）のプリンター部である。
【００１８】
105.は１０４のプリンター部が１０２のデータを解釈してビットマップメモリー上に展開した画像電子データの模式図である。
【００１９】
106.は本発明が提案するところの複合機能印刷システム（A）の画像スキャナー部である。
【００２０】
107.は１０６の画像スキャナー部のOCR機能を作用させて、１０５の画像電子データから取得した、文字レイアウト情報と文字コード情報のデータの模式図である。
【００２１】
108.は一般にダイジェスト関数等と言われるところの、文字コード情報からハッシュ値等の文字コード固有情報を算出する、符号化機能である。
【００２２】
109.は１０８の符号化機能によって１０７の文字レイアウト情報と文字コード情報のデータから算出された文字コード固有情報のデータの模式図である。
【００２３】
110.は文字コード固有情報を保存する二次記憶装置である。
【００２４】
111.は１０３の複合機能印刷システムの１０４のプリンター部が画像展開した画像電子データである１０５を、実際の用紙上にハードコピーとして印刷出力する、本発明が提案するところの複合機能印刷システム群の内の単機能印刷システム（B）である。
【００２５】
112.は、１０３の複合機能印刷システムの１０４のプリンター部が画像展開した画像電子データである１０５を、本発明が提案するところの複合機能印刷システム群の内の単機能印刷システム（B）がハードコピーとして実際の用紙上に印刷出力した交付文書である。
【００２６】
113.は本発明が提案するところの複合機能印刷システム（B）で、1台のデバイスとして存在する。
【００２７】
114.は本発明が提案するところの複合機能印刷システム（B）の画像スキャナー部である。
【００２８】
115.は１１３の画像スキャナー部のOCR機能を作用させて、１１１の交付文書のハードコピーから取得した、文字レイアウト情報と文字コード情報のデータの模式図である。
【００２９】
116.は一般にダイジェスト関数等と言われるところの、文字コード情報からハッシュ値等の文字コード固有情報を算出する、符号化機能である。
【００３０】
117.は１０８の符号化機能によって１１５の文字レイアウト情報と文字コード情報のデータから算出された文字コード固有情報のデータの模式図である。
【００３１】
118.は１１７の文字コード固有情報について、同一のものが１１０の二次記憶装置に保存されているか、検索比較する符号検索比較機能である。
【００３２】
119.は本発明が提案するところの複合機能印刷システム群の各デバイスを、相互に情報交換可能なように接続する、LANやWANやインターネットやイントラネット等のネットワーク・インフラストラクチャーである。
【００３３】
次に、１から１６の矢印付き点線で示されたデータ処理の流れに従って、本発明を実施する為に最良の形態の例の処理手順を説明する。
【００３４】
１．交付文書原稿は１０１のホスト機器において、１０２の印刷制御コードに変換される。
【００３５】
２．１０２の印刷制御コードは、１１６のネットワーク等を通じて、もしくはローカル接続の場合はその他のインターフェースを介して１０３の複合機能印刷システム（A）の１０４のプリンター部に送信される。
【００３６】
３．１０４のプリンター部は受信した１０２の印刷制御コードを解釈して画像に展開し、１０５の画像電子データを生成する。
【００３７】
４．１０５の画像電子データは１０６の画像スキャナー部へ送られる。
【００３８】
５．１０６の画像スキャナー部は、受け取った１０５の画像電子データから、OCR機能によって、文字画像を、そのレイアウトも独自解釈しながら文字として認識し、１０７の文字レイアウト情報と文字コード情報のデータを生成する。
【００３９】
ここで、OCR機能はその性能特性によっては、必ずしも交付文書原稿どおりの文字認識が出来るとは限らず、この例では“C”と“G”を“O”に、“0”を“（）”に、“...”を“＿”に認識したことになっている。
【００４０】
また“ABCDEFG”１行を一つの文章ブロック、“0123456”と“...”の２行を一つの文章ブロックであるとレイアウト認識したことにしている。
【００４１】
６．１０７の文字レイアウト情報と文字コード情報のデータは、１０８の符号化機能に渡される。
【００４２】
７．１０８の符号化機能は、受け取った１０７の文字レイアウト情報と文字コード情報のデータから、１０９のハッシュ値等の文字コード固有情報のデータを算出する。
【００４３】
ここで、複数の文章ブロックの存在が確認されていることをレイアウト情報が示す場合、それらの複数の文章ブロックが独立した複数の文字列として符号化され、文章ブロック数分の複数の文字コード固有情報を算出する方法もあり、また複数の文章ブロックを任意の順序で連続させ、交付文書の１ページを一連の一個の文字列として一つの文字コード固有情報を算出する方法もある。
【００４４】
８．１０９の文字コード固有情報は、１１０の二次記憶装置に保存される。
【００４５】
以上の１から８を以って、交付文書の文字コード固有情報の原本性確認データとしての登録が完了する。
【００４６】
９．１０４のプリンター部が画像に展開した１０５の画像電子データは、印刷データとして、１１６のネットワーク等を通じて送信され、１１１の単機能印刷システム（B）に受信される。
【００４７】
１０．１１の単機能印刷システム（B）は受信した１０５の画像電子データから、ハードコピーとして１１２の交付文書を印刷出力する。
【００４８】
以上の１から３と９、１０を以って、交付文書の発行が完了する。
【００４９】
１１．１１２の交付文書は、原稿として１１３の複合機能印刷システム（B）の１１４の画像スキャナー部にて、画像電子データに読み込まれる。
【００５０】
１２．１１４の画像スキャナー部が読み込んだ画像電子データは、OCR機能によって、文字画像が、そのレイアウトも独自解釈されながら文字として認識され、１１５の文字レイアウト情報と文字コード情報のデータが生成される。
【００５１】
ここで、OCR機能はその性能特性によっては、必ずしも交付文書原稿どおりの文字認識が出来るとは限らないが、本発明が提案するところの複合機能印刷システム（A）と複合機能印刷システム（C）が同一製品、若しくは同一シリーズ系列の製品であるならば、上記５の処理の例と同様に、“C”と“G”を“O”に、“0”を“（）”に、“...”を“＿”に認識することになる。
【００５２】
またここで本発明が提案するところの複合機能印刷システム（A）と複合機能印刷システム（C）が同一製品、若しくは同一シリーズ系列の製品であるならば、上記５の処理の例と同様に、“ABCDEFG”１行を一つの文章ブロック、“0123456”と“...”の２行を一つの文章ブロックであるとレイアウト認識することになる。
【００５３】
１３．１１５の文字レイアウト情報と文字コード情報のデータは、１１６の符号化機能に渡される。
【００５４】
１４．１１６の符号化機能は、受け取った１１５の文字レイアウト情報と文字コード情報のデータから、１１７のハッシュ値等の文字コード固有情報のデータを算出する。
【００５５】
ここで上記７の処理と同じく、複数の文章ブロックの存在が確認されていることをレイアウト情報が示す場合、それらの複数の文章ブロックが独立した複数の文字列として符号化され、文章ブロック数分の複数の文字コード固有情報を算出する方法もあり、また複数の文章ブロックを任意の順序で連続させ、交付文書の１ページを一連の一個の文字列として一つの文字コード固有情報を算出する方法もあるが、本発明が提案するところの複合機能印刷システム（A）と複合機能印刷システム（C）が同一製品、若しくは同一シリーズ系列の製品であるならば、同じ手続きで文字コード固有情報が算出されることになる。
【００５６】
１５．１１３の複合機能印刷システム（C）は、１１７の文字コード固有情報についての登録があるかどうかを、１０３の複合機能印刷システム（A）の１１８の符号検索比較機能に照会する。
【００５７】
１６．１18の符号検索比較機能は、１１５の複合機能印刷システム（C）から問い合わされた１１７の文字コード固有情報について、１１０の二次記憶装置に登録されてある物なのか、検索し、比較した結果同一のものが見つかれば、原本性ありとして１１５の複合機能印刷システム（C）に通達する。検索し、比較した結果同一のものが見つかなければ、原本性なしとして１１５の複合機能印刷システム（C）に通達する。
【００５８】
以上の１１から１６を以って、交付文書の原本性確認が完了する。
【００５９】
図２は本発明が提案するところの複合機能印刷システムの部品構成の例を示す図である。
【００６０】
以下、上記の１．から１６．の処理手続きに関わる、図２の各部品の働きについて説明する。
【００６１】
201.はNetworkインターフェース部であり、２の受信手続きとして、１０１のホスト機器から、１０２の印字制御コードデータを受信する働きをする。
【００６２】
また９の送信手続きとして、１０５の画像電子データを、１１１の単機能印刷システムに送信する働きをする。
【００６３】
また１５の照会手続きとして、文字コード固有情報を受信し、また１６の回答手続として、紹介結果を送信する働きをする。
【００６４】
202.は二次記憶装置部であり、８の保存手続きとして、１０９の文字コード固有情報を保存する働きをする。
【００６５】
203.は画像スキャナーCPUで、２０４に格納されてあるプログラムを実行することにより、１１の画像読み込み手続きとして、２０８の画像スキャナーエンジン部から、２０７の画像スキャナーVideoインターフェース部を介して、２０６の画像スキャナー画像メモリー部に、画像電子データを取得する為の演算処理を行う。
【００６６】
またOCR機能も画像スキャナーの機能の一部として提供されるので、OCR機能の為のプログラムも２０４に格納されてあり、そのプログラムを実行することにより、５と１２の文字認識手続きとして、２０６の画像スキャナー画像メモリー部にある画像電子データから、文字画像を認識して文字コードを生成する為の演算処理を行う。
【００６７】
204.は２０３の画像スキャナーCPUに実行される画像スキャナープログラム部であり、またOCR機能も画像スキャナーの機能の一部として提供されるので、OCR機能の為のプログラム部でもあり、ROM若しくはHDDに格納されていて、ＨＤＤに格納されてある場合は、一旦２０５の画像スキャナープログラムWORKメモリー部にロードされて実行される。
【００６８】
205.は画像スキャナープログラムWORKメモリー部であり、２０４の画像スキャナープログラムがHDDに格納されてある場合は、そのプログラムがロードされる領域であり、或いはその他画像スキャナープログラムに汎用的に利用される。
【００６９】
またOCR機能も画像スキャナーの機能の一部として提供されるので、OCR機能の為のプログラムがロードされる領域でもあり、５と１２の文字認識手続きとして、OCR機能によって認識された文字レイアウト情報と文字コード情報のデータが格納される領域でもある。
【００７０】
206.は画像スキャナー画像メモリー部であり、１１３の複合機能印刷システム（C）においては、１１の画像読み込み手続きとして、２０７の画像スキャナーVideoインターフェース部から取得された画像電子データを記憶する。
【００７１】
また１０３の複合機能印刷システム（A）においては、４の画像電子データ複製手続きとして、２１２のプリンター画像メモリー部に展開された画像電子データを複製記憶する。
【００７２】
207.は画像スキャナーVideoインターフェース部であり、２０８の画像スキャナーエンジン部からの画像電子データを取得する。
【００７３】
208.は画像スキャナーエンジン部であり、１１の画像読み込み手続きとして、ハードコピー原稿を光学的に読み取り、画像電子データを２０７の画像スキャナーVideoインターフェース部に送信する。
【００７４】
209.はプリンターCPUで、２１０に格納されてあるプログラムを実行することにより、２の受信手続きとして、２０１のNetworkインターフェース部から受信した印刷制御コードを解釈し、３の画像展開手続きとして、画像電子データを２１２のプリンター画像メモリー部に展開する為の演算処理を行う。
【００７５】
また、１１１の単機能印刷システム（B）においては、２１２のプリンター画像メモリー部の画像電子データを、１０の印刷手続きとして、２１３のプリンターVideoインターフェース部を介して、２１４のプリンターエンジン部に対して、印刷させる為の演算処理を行う。
【００７６】
または、１０３の複合機能印刷システム（A）においては、２１２のプリンター画像メモリー部の、画像電子データを、９の送信手続きとして、２０１のNetworkインターフェース部を介して、外部の複合機能印刷システムもしくは単機能印刷システムに対して送信する為の演算処理を行う。
【００７７】
210.は２０９のプリンターCPUに実行されるプリンタープログラム部であり、ROM若しくはHDDに格納されていて、ＨＤＤに格納されてある場合は、一旦２１１のプリンタープログラムWORKメモリー部にロードされて実行される。
【００７８】
211.はプリンタープログラムWORKメモリー部であり、２１0のプリンタープログラムがHDDに格納されてある場合は、そのプログラムがロードされる領域であり、或いはその他プリンタープログラムに汎用的に利用される。
【００７９】
212.はプリンター画像メモリー部であり、画像電子データを記憶する。
【００８０】
この画像電子データは、１０３の複合機能印刷システム（A）においては、２０１のNetworkインターフェース部から受信した印刷制御コードを解釈し展開したものであり、２０１のNetworkインターフェース部を介して、外部の複合機能印刷システムもしくは単機能印刷システムに対して送信されるものである。
【００８１】
または、１１１の単機能印刷システム（B）においては、９の受信手続きとして、２０１のNetworkインターフェース部から受信した展開済み電子画像データであり、１０の印刷手続きとして、２１３のプリンターVideoインターフェース部を介して、２１４のプリンターエンジン部より印刷出力されるものである。
【００８２】
213.はプリンターVideoインターフェース部であり、２１４のプリンターエンジン部に対して画像電子データを送信する。
【００８３】
214.はプリンターエンジン部であり、１０の印刷手続きとして、２１３のプリンターVideoインターフェース部から受信する画像電子データを、ハードコピー原稿として印刷出力する。
【００８４】
215.は符号検索比較機能CPUで、２１６に格納されてあるプログラムを実行することで、１５の照会手続きとして、２０１のNetworkインターフェース部から受信した文字コード固有情報と同一のものを、２０２に格納されてある文字コード固有情報から検索し比較する為の演算処理を行う。
【００８５】
また、１６の回答手続きで、２０１のNetworkインターフェース部を介して、外部の複合機能印刷システムもしくは単機能印刷システムに対して、検索比較結果を送信する為の演算処理を行う。
【００８６】
216.は２１５の符号検索比較機能CPUに実行される符号検索比較機能プログラム部であり、ROM若しくはHDDに格納されていて、ＨＤＤに格納されてある場合は、一旦２１７の符号検索比較機能プログラムWORKメモリー部にロードされて実行される。
【００８７】
217.は符号検索比較機能プログラムWORKメモリー部であり、２１６の符号検索比較機能プログラムがHDDに格納されてある場合は、そのプログラムがロードされる領域であり、或いはその他符号検索比較機能プログラムに汎用的に利用される。
【００８８】
218.は符号化機能CPUで、２１９に格納されてあるプログラムを実行することで、７と１４の符号化手続きとして、２０５の画像スキャナープログラムWORKメモリー部に格納されてある文字レイアウト情報と文字コード情報のデータから、ダイジェスト関数等として知られる手続きをもって、ハッシュ値等の文字コード固有情報を算出する為の演算処理を行う。
【００８９】
または、１０３の複合機能印刷システム（A）においては、算出した文字コード固有情報を、８の保存手続きとして、２０２の二次記憶装置部に格納する為の演算処理を行う。
【００９０】
または、１１３の複合機能印刷システム（C）においては、１５の照会手続きとして、２０１のNetworkインターフェースを介して、１０３の複合機能印刷システム（A）に対して文字コード固有情報の登録確認と、１６の回答手続きとして、２０１のNetworkインターフェースを介して、１０３の複合機能印刷システム（A）から回答される、文字コード固有情報の登録確認結果受信とを、行う為の演算処理を行う。
【００９１】
219.は２１８の符号化機能CPUに実行される符号化機能プログラム部であり、ROM若しくはHDDに格納されていて、ＨＤＤに格納されてある場合は、一旦２２０の符号化機能プログラムWORKメモリー部にロードされて実行される。
【００９２】
220.は符号化機能プログラムWORKメモリー部であり、２１９の符号化機能プログラムがHDDに格納されてある場合は、そのプログラムがロードされる領域であり、或いはその他符号化機能プログラムに汎用的に利用される。
【００９３】
221.システムBUSであり、各部品間相互のデータが往来する。
【００９４】
上記２０１から２２１の部品の内、２０３の画像スキャナーCPU、２０９のプリンターCPU、２１５の符号検索比較機能CPU、２１８の符号化機能CPUについては、その全部もしくは一部は、同一のCPUであってもよい。
【００９５】
また、上記２０１から２２１の部品の内、２０４の画像スキャナープログラム部、２１０のプリンタープログラム部、２１６の符号検索比較機能プログラム部、２１９の符号化機能プログラム部については、その全部もしくは一部は、同一のプログラムであってもよい。
【００９６】
また、上記２０１から２２１の部品の内、２０５の画像スキャナープログラムWORKメモリー部、２１１のプリンタープログラムWORKメモリー部、２１７の符号検索比較機能プログラムWORKメモリー部、２２０の符号化機能プログラムWORKメモリー部、２０６の画像スキャナー画像メモリー部、２１２のプリンター画像メモリー部については、その全部もしくは一部は、同一の領域を持つRAMメモリーであってもよい。
【００９７】
（その他の実施例１）
図３に示すように、１０３の複合機能印刷システム（A）の１０４のプリンター部にて画像展開された交付文書の画像電子データは、そのまま１０４のプリンター部でハードコピーとしての１１２の交付文書に印刷出力されてもよく、その場合、９の送信手続きが１０の印刷手続きに吸収され、１１１の単機能印刷システム（B）は省略されることが可能となる。
【００９８】
（その他の実施例２）
図４に示すように、１０３の複合機能印刷システム（A）の１０４のプリンター部における画像展開機能の性能特質が、１１１の単機能印刷システムの画像展開機能の性能特質と或る程度同一の物である場合は、９の送信手続きで送られる印刷データは、必ずしも１０５の展開済み画像電子データである必要は無く、１０２の印刷制御コードデータをそのまま転送しても良い。
【００９９】
（その他の実施例３）
図５に示すように、１０３の複合機能印刷システム（A）一台をもって、１１１の単機能印刷システム（B）と１１３の複合機能印刷システム（C）を兼ねることも可能であり、その場合は、１０３の複合機能印刷システム（A）の１０４のプリンター部にて、ハードコピーとしての１１２の交付文書が印刷出力されることで交付文書の発行が完了し、１１２の交付文書が原稿として１０６の画像スキャナー部にて画像電子データに読み込まれ、１０６の画像スキャナー部のOCR機能によって１１５の文字レイアウト情報と文字コード情報のデータに変換され、そして更に１０８の符号化機能に渡されて１１７のハッシュ値等の文字コード固有情報のデータが算出され、それを１18の符号検索比較機能が１１０の二次記憶装置に登録されてある物なのか検証することで交付文書の原本性確認が完了する。
【図面の簡単な説明】
【０１００】
【図１】本発明を実施する為に最良の形態の例を示す構成図。
【図２】本発明が提案する複合機能印刷システムの構成の一例を示す部品構成図。
【図３】本発明その他の実施例１を示す構成図。
【図４】本発明その他の実施例２を示す構成図。
【図５】本発明その他の実施例３を示す構成図。
【符号の説明】
【０１０１】
１．  印刷制御コード送信手続き
２．  送信手続き
３．  印刷制御コードの解釈および画像展開手続き
４．  画像電子データのプリンター部から画像スキャナー部へのデータ受け渡し手続き
５．  ＯＣＲ手続き（文字レイアウト情報と文字コード情報のデータ生成手続き）
６．  文字レイアウト情報と文字コード情報のデータの符号化機能へのデータ受け渡し手続き
７．  符号化手続き（ハッシュ値等文字コード固有情報のデータ算出手続き）
８．  二次記憶装置への保存手続き
９．  印刷データの送受信手続き
１０．  交付文書の印刷出力手続き
１１．  交付文書の画像スキャナーによる読み込みて続き
１２．  ＯＣＲ手続き（文字レイアウト情報と文字コード情報のデータ生成手続き）
１３．  文字レイアウト情報と文字コード情報のデータの符号化機能へのデータ受け渡し手続き
１４．  符号化手続き（ハッシュ値等の文字コード固有情報のデータの算出手続き）
１５．  符号検索比較の照会手続き
１６．  符号検索比較の回答手続き
101.  交付文書のDB等にアクセスするPCやWS等のホスト機器
102.  印字制御コードデータの模式図
103.  本発明が提案するところの複合機能印刷システム群の内の複合機能印刷システム（A）
104.  プリンター部
105.  画像電子データの模式図
106.  画像スキャナー部
107.  文字レイアウト情報と文字コード情報のデータの模式図
108.  符号化機能
109.  文字コード固有情報のデータの模式図
110.  二次記憶装置
111.  本発明が提案するところの複合機能印刷システム群の内の単機能印刷システム（B）
112.  ハードコピーとして実際の用紙上に印刷出力した交付文書
113.  本発明が提案するところの複合機能印刷システム群の内の複合機能印刷システム（B）
114.  画像スキャナー部
115.  文字レイアウト情報と文字コード情報のデータの模式図
116.  符号化機能
117.  文字コード固有情報のデータの模式図
118.  符号検索比較機能
119.  LANやWANやインターネットやイントラネット等のネットワーク・インフラストラクチャー
201.  Networkインターフェース部
202.  二次記憶装置部
203.  画像スキャナーCPU
204.  画像スキャナープログラム部（ROM/HDD）
205.  画像スキャナープログラムWORKメモリー部（RAM）
206.  画像スキャナー画像メモリー部（RAM）
207.  画像スキャナーVideoインターフェース部
208.  画像スキャナーエンジン部
209.  プリンターCPU
210.  プリンタープログラム部（ROM/HDD）
211.  プリンタープログラムWORKメモリー部（RAM）
212.  プリンター画像メモリー部（RAM）
213.  プリンターVideoインターフェース部
214.  プリンターエンジン部
215.  符号検索比較機能CPU
216.  符号検索比較機能プログラム部（ROM/HDD）
217.  符号検索比較機能プログラムWORKメモリー部（RAM）
218.  符号化機能CPU
219.  符号化機能プログラム部（ROM/HDD）
220.  符号化機能プログラムWORKメモリー部（RAM）
221.  システムBUS
【図１】
2006166329.tif 000003
【図２】
2006166329.tif 000004
【図３】
2006166329.tif 000005
【図４】
2006166329.tif 000006
【図５】
2006166329.tif 000007